(57)【要約】【課題】天井部等に配置された空調室内機のドレン配管からのドレンの漏れを確実に防止し、配管工事の作業性を向上させる。【解決手段】一端に、空調室内機１のドレン管１ａに接続するための第１の接続部３と、他端に、空調室内機が設置された室の外にドレンを導くための配管に接続するための第２の接続部とを備え、空調室内機のドレン管と、ドレンを導くための配管との間の距離に応じて長さを調整可能とした空調室内機のドレンホース継手。第１及び第２の接続部を空調室内機のドレン管等の外周部を囲繞するように挿入可能な円筒状の弾性体とし、第１及び第２の接続部に連続するホース部４に断熱性及び弾性を付与し、第１及び第２の接続部とホース部との境界部分には、境界部分の機械的強度を補強する補強部を設け、第１及び第２の接続部を空調室内機のドレン管等に挿入された状態で、両接続部を外部から締め付ける締付部を備えることが好ましい。【選択図】図１
2008121898.tif 000002
【特許請求の範囲】
【請求項１】
一端に、空調室内機のドレン管に接続するための第１の接続部と、
他端に、該空調室内機が設置された室の外にドレンを導くための配管に接続するための第２の接続部とを備え、
前記空調室内機のドレン管と、前記ドレンを導くための配管との間の距離に応じて長さを調整可能としたことを特徴とする空調室内機のドレンホース継手。
【請求項２】
前記第１の接続部は、前記空調室内機のドレン管の外周部を囲繞するように該ドレン管を挿入可能な円筒状の弾性体からなり、
前記第２の接続部は、前記ドレンを導くための配管の外周部を囲繞するように該配管を挿入可能な円筒状の弾性体からなり、
前記第１及び第２の接続部に連続するホース部は、断熱性及び弾性を有し、
前記第１及び第２の接続部と前記ホース部との境界部分には、該境界部分の機械的強度を補強する補強部を備え、
前記第１及び第２の接続部が各々、前記空調室内機のドレン管又は前記ドレンを導くための配管に挿入された状態で、前記第１及び第２の接続部を外部から締め付ける締付部とを備えることを特徴とする請求項１に記載の空調室内機のドレンホース継手。
【請求項３】
前記補強部は、前記第１及び第２の接続部に一体的に形成され、前記ホース部の内部に装着された円筒状補強部材であることを特徴とする請求項１又は２に記載の空調室内機のドレンホース継手。
【請求項４】
前記円筒状補強部材の外周面は、該外周面一周にわたって形成される複数の突条を備え、該外周面と、前記ホース部の内周面とが接着剤を介して固着されることを特徴とする請求項３に記載の空調室内機のドレンホース継手。
【請求項５】
前記第１及び第２の接続部の前記ドレン管又は前記ドレンを導くための配管の外周部と接する内周面は、該内周面に一周にわたって形成される１又は２以上の突条を備えることを特徴とする請求項１乃至４のいずれかに記載の空調室内機のドレンホース継手。
【請求項６】
前記第１及び第２の接続部の前記内周面に一周にわたって形成される１又は２以上の突条と相対向する外周面に、一周にわたって前記締付部のバンド部を装着するための溝部を備えることを特徴とする請求項５に記載の空調室内機のドレンホース継手。
【請求項７】
前記締付部は、前記第１及び第２の接続部の溝部への前記バンド部の装着状態を確認するための目印を備えることを特徴とする請求項６に記載の空調室内機のドレンホース継手。
【請求項８】
前記第１及び第２の接続部は、前記ドレン管又は前記ドレンを導くための配管の外周部の径に対応する内径を有するとともに、前記外周部の径によらず一定の外径を有することを特徴とする請求項１乃至７のいずれかに記載の空調室内機のドレンホース継手。
【請求項９】
天井部に設置された空調室内機のドレン配管設置方法であって、
請求項１乃至８のいずれかに記載の空調室内機のドレンホース継手の前記第１の接続部を空調室内機のドレン管に接続し、
前記第２の接続部を該空調室内機が設置された室の外にドレンを導くための配管に接続し、
該空調室内機を設置した天井部の天井下地及び天井ボードを敷設することを特徴とする空調室内機のドレン配管設置方法。
【発明の詳細な説明】
【技術分野】
【０００１】
本発明は、室内に設置された空調室内機で発生したドレンを室外に導く際に用いられるホース継手、及びこの継手を利用したドレン配管設置方法に関する。
【背景技術】
【０００２】
従来、図５に示すように、室内の天井裏等に設置した空調室内機３１で発生したドレンを室外に導くにあたって、空調室内機３１にポンプを付設し、ドレン管３１ａを立上り管３２で一旦立ち上げた後、水平配管を横走り管（複数の空調室内機からのドレン管が接続された配管）３３等に接続し、室外に導いていた。この際、空調室内機３１から突出するドレン管３１ａと横走り管３３とを接続するにあたって、空調室内機メーカ側で準備した標準部品３４（接続部）、３５（バンド）と、施工業者が独自に製作した接続部品（立上り管３２等）を用いるとともに、パイプの外表面への水滴の付着及び落下を防止するため接続部３２、３４、３５を断熱材で覆って保温していた。
【０００３】
具体的なドレン配管設置作業としては、図４に示すように、ステップＳ１において、ドレン横走り管を敷設し、次に、ステップＳ２において、このドレン横走り管の通水試験を行い、漏れがないことを確認した後、ステップＳ３においてドレン横走り管を保温する。
【０００４】
ステップＳ４において、天井部に空調室内機（図５の３１に相当）を設置し、ステップＳ５において、空調室内機の下方に軽鉄天井下地を取り付け、ステップＳ６において、上述の機器周りのドレン配管（図５の参照番号３２〜３５）を接続し、ステップＳ７において、軽鉄天井下地の下方に天井ボードを貼り、ステップＳ８において、ドレン配管の通水試験を行い、漏れがないことを確認した後、ステップＳ９において、空調室内機３１の周りのドレン管３１ａの防露を行ってドレン配管の設置が完了する。
【発明の開示】
【発明が解決しようとする課題】
【０００５】
しかし、従来、上記ドレン配管の接続部３４を断熱材で囲繞した後バンド３５で締め付けているが、締め付けを確実に行うことができないため、この接続部３４や立上り管３２からドレンが漏れることがあり、施工後に配管工事をやり直すこともあった。また、上述のように、この配管工事は、軽鉄天井下地を敷設した後実施していたため、狭隘な天井裏での作業となり、極めて作業性が悪く、作業に長時間を要していた。
【０００６】
そこで、本発明は、上記従来の技術における問題点に鑑みてなされたものであって、空調室内機のドレン配管からのドレン漏れを確実に防止するとともに、配管工事の作業性を向上させ、短時間で配管工事を行うことが可能な空調室内機のドレンホース継手及びドレン配管設置方法を提供することを目的とする。
【課題を解決するための手段】
【０００７】
上記目的を達成するため、本発明は、空調室内機のドレンホース継手であって、一端に、空調室内機のドレン管に接続するための第１の接続部と、他端に、該空調室内機が設置された室の外にドレンを導くための配管に接続するための第２の接続部とを備え、前記空調室内機のドレン管と、前記ドレンを導くための配管との間の距離に応じて長さを調整可能としたことを特徴とする。
【０００８】
そして、本発明にかかるドレンホース継手によれば、その長さを、空調室内機のドレン管と、ドレンを導くための配管との間の距離に応じて調整可能としたため、第１の接続部を空調室内機のドレン管に接続し、第２の接続部を空調室内機が設置された室の外にドレンを導くための配管に接続することにより、現場でのドレンホース継手の取付作業を容易に行うことができる。
【０００９】
前記空調室内機のドレンホース継手において、前記第１の接続部を、前記空調室内機のドレン管の外周部を囲繞するように該ドレン管を挿入可能な円筒状の弾性体で形成し、前記第２の接続部を、前記ドレンを導くための配管の外周部を囲繞するように該配管を挿入可能な円筒状の弾性体で形成し、前記第１及び第２の接続部に連続するホース部を、断熱性及び弾性を有するように構成し、前記第１及び第２の接続部と前記ホース部との境界部分に、該境界部分の機械的強度を補強する補強部を設け、前記第１及び第２の接続部が各々、前記空調室内機のドレン管又は前記ドレンを導くための配管に挿入された状態で、前記第１及び第２の接続部を外部から締め付ける締付部とを設けるように構成することができる。
【００１０】
このドレンホース継手によれば、前記第１の接続部を空調室内機のドレン管の外周部を囲繞するように該ドレン管に挿入し、前記第２の接続部を、前記ドレンを導くための配管の外周部を囲繞するように該配管に挿入することにより、ワンタッチでドレンホース継手をドレン管に接続することができ、接続作業を容易に行うことができる。また、締付部によって、空調室内機のドレン管に挿入された状態で第１及び第２の接続部を外部から締め付けるため、両接続部を強固に固定することができ、ドレンの漏れを確実に防止することができる。さらに、ホース部は断熱性及び弾性を有するため、断熱材を別途設ける必要もなく、ドレン横走り管等への接続も容易に行うことができる。また、補強部によって、第１及び第２の接続部の各々とホース部との境界部分を補強することで、接続作業時に加えられる力に耐えることができ、空調室内機の運転時の振動等によって損傷することもない。
【００１１】
前記ドレンホース継手において、前記補強部を、前記第１及び第２の接続部に一体的に形成され、前記ホース部の内部に装着された円筒状補強部材とすることができる。この円筒状補強部材の材料としては、ステンレス鋼が好適であるが、その他の金属及び硬質の樹脂等を用いることもできる。
【００１２】
また、前記円筒状補強部材の外周面に、該外周面一周にわたって複数の突条を設け、該外周面と、前記ホース部の内周面とを接着剤を介して固着することができる。複数の突条を設けたことにより、円筒状補強部材の外周面とホース部の内周面との間により多くの接着剤を塗布することができ、円筒状補強部材とホース部とをより強固に接続することができる。
【００１３】
さらに、前記第１及び第２の接続部の前記ドレン管又は前記ドレンを導くための配管の外周部と接する内周面に、該内周面に一周にわたって１又は２以上の突条を設けることができる。１又は２以上の突条が空調室内機のドレン管の外面に当接した状態で、締付部によって締め付けられるため、突条がドレン管又は前記ドレンを導くための配管の外面に圧接し、前記第１及び第２の接続部をドレン管により強固に固定することができる。
【００１４】
また、前記第１及び第２の接続部の前記内周面に一周にわたって形成される１又は２以上の突条と相対向する外周面に、一周にわたって前記締付部のバンド部を装着するための溝部を備えることができる。これによって、突条の存在する位置を確実にバンド部を介して締め付けることができ、より強固に第１及び第２の接続部をドレン管又は前記ドレンを導くための配管に固定することができる。
【００１５】
さらに、前記締付部を、前記第１及び第２の接続部の溝部への前記バンド部の装着状態を確認するための目印を備えるように構成することができる。これによって、締付部の締め忘れを防止することができるとともに、所定の締め付け力でバンド部を第１及び第２の接続部に締め付けることができる。
【００１６】
さらにまた、前記第１及び第２の接続部は、前記ドレン管又は前記ドレンを導くための配管の外周部の径に対応する内径を有するとともに、前記外周部の径によらず一定の外径を有するように構成することができる。空調室内機のドレン管の外周部の径が変化しても、第１及び第２の接続部の外径を一定に維持しているため、常に同じ締付部を使用することができる。
【００１７】
また、本発明は、天井部に設置された空調室内機のドレン配管設置方法であって、上記空調室内機のドレンホース継手の前記第１の接続部を空調室内機のドレン管に接続し、前記第２の接続部を該空調室内機が設置された室の外にドレンを導くための配管に接続し、該空調室内機を設置した天井部の天井下地及び天井ボードを敷設することを特徴とする。
【００１８】
そして、本発明によれば、ドレン配管作業が完了した後、空調室内機を設置した天井部の天井下地及び天井ボードを敷設するため、狭隘な空間での配管作業を回避することができ、作業性が向上し、短時間で配管工事を行うことなどが可能となる。
【発明の効果】
【００１９】
以上のように、本発明によれば、ドレン配管からのドレンの漏れを確実に防止することができるとともに、配管工事の作業性が向上し、短時間で空調室内機のドレン配管工事を行うことが可能となる。
【発明を実施するための最良の形態】
【００２０】
図１は、本発明にかかる空調室内機のドレンホース継手（以下「継手」と略称する）の一実施の形態を示し、この継手２は、空調室内機１のドレン管１ａを挿入する円筒状の取付部（第１の接続部）３と、この取付部３に連続し、断熱性及び弾性を有するホース部４と、取付部３とホース部４との境界部分の機械的強度を補強する補強部５と、取付部３を外部から締め付ける締付部６とで構成される。
【００２１】
取付部３は、軟質の塩化ビニール等からなり、空調室内機１のドレン管１ａを囲繞するようにしてドレン管１ａを挿入することができるように円筒状に形成される。この取付部３は、図２に示すように、ドレン管１ａ（図１参照）を挿入する大径側の内面３ａに２つの突条３ｂが形成され、大径側の外面３ｃに締付部６（図３参照）のバンド幅Ｗより幅広の溝部３ｄが形成される。また、小径側の外面３ｅには、３つの突条３ｆが設けられる。これらの突条３ｆを設けたことにより、取付部３とホース部４とを接着剤を用いて固着させる際に、接着剤をより多く塗布することができ、取付部３を強固にホース部４に固着させることができる。
【００２２】
尚、図１に示した空調室内機１のドレン管１ａの外径については、空調室内機１の型式等によって変化するが、取付部３の大径側の内面３ａの径をドレン管１ａの外径に合わせて数種類作成しておけば、容易に対応することができる。この際、取付部３の大径側の外面３ｃについては、ドレン管１ａの外径に合わせて変化させることなく一定の径を有するようにすることにより、常に同じ締付部６を使用することができて好ましい。
【００２３】
図１に示すホース部４は、取付部３に連続して形成され、取付部３と同様、軟質の塩化ビニール等からなり、図示しないドレン管の横走り管等に接続される。
【００２４】
補強部５は、ステンレス鋼等からなり、ホース部４の内部に装着され、取付部３との境界部の機械的強度を増強している。補強部５を設けるのは、継手２を空調室内機１のドレン管１ａに接続する際の取扱、空調室内機の運転時の振動等によって損傷することを防止するためである。尚、補強部５には、ステンレス鋼以外の金属、硬質の樹脂等を用いることもできる。
【００２５】
締付部６は、取付部３をドレン管１ａに取り付けた後、取付部３を外部から締め付けることにより、取付部３がドレン管１ａから外れることを防止するとともに、この取付部３からのドレンの漏れを防止するために備えられる。この締付部６は、図３に示すように、ステンレス鋼等からなるハウジング６ａと、ハウジング６ａ内を挿通するステンレス鋼等からなるバンド（フーブ）６ｂと、バンド６ｂをハウジング６ａに固定するためのクロメート処理を施した鉄等からなるねじ部６ｃと、バンド６ｂの適切な挿通状態を確認するための目印６ｄとで構成される。
【００２６】
尚、図示を省略するが、図１においてホース部４の取付部３側と反対側の端部（第２の接続部）についても、取付部３側と同様に構成し、横走り管等との接続部とすることができる。
【００２７】
次に、上記構成を有する継手２を用いた空調室内機のドレン配管設置方法の一例について、天井部に設置した空調室内機のドレン配管を設置する場合を例にとって、図４を中心に参照しながら説明する。
【００２８】
まず、ステップＳ１１において、ドレン横走り管を敷設する。次に、ステップＳ１２において、このドレン横走り管の通水試験を行い、漏れがないことを確認した後、ステップＳ１３においてドレン横走り管を保温する。
【００２９】
ステップＳ１４において、天井部に空調室内機（図１の１に相当）を設置し、ステップＳ１５において、継手２を介して空調室内機１のドレン配管１ａを既設のドレン横走り管に接続する。取付部３をドレン管１ａに挿入した後、取付部３の溝部３ｄの位置に締付部６のバンド６ｂを位置させ、締付部６を締め付けるだけで継手２とドレン管１ａとを接続することができ、継手２とドレン横走り管との間の接続についても同様に行うことができる。
【００３０】
ここで、図３（ｃ）に示すように、締付部６の先端６ｅを目印６ｄに位置合わせすることにより、締付部６の締め忘れを防止することができるとともに、所定の締め付け力でバンド６ｂを取付部３に締め付けることができる。
【００３１】
また、図１に示すように、取付部３に締付部６を適切に装着した状態では、大径側の内面３ａ（図２参照）の２つの突条３ｂがドレン管１ａの外面に当接するとともに、２つの突条３ｂと相対向する外面３ｃの溝部３ｄが締付部６のバンド６ｂによって締め付けられるため、２つの突条３ｂがドレン管１ａの外面に圧接することとなり、取付部３をドレン管１ａに強固に固定することができる。
【００３２】
上記状態で、ステップＳ１６において、空調室内機１のモータを仮設電源を用いて運転し、ドレン配管の通水試験を行う。漏れがないことを確認した後、ステップＳ１７において、空調室内機１の周りのドレン管１ａの防露を行う。
【００３３】
次に、ステップＳ１８において、軽鉄天井下地を取り付け、ステップＳ１９において、天井ボードを貼って空調室内機の設置及び天井工事が完了する。
【図面の簡単な説明】
【００３４】
【図１】本発明にかかる空調室内機のドレンホース継手の一実施の形態を示す断面図である。
【図２】図１のドレンホース継手の取付部及び補強部を示す断面図である。
【図３】図１のドレンホース継手の締付部を示す図であって、（ａ）は正面図、（ｂ）は側面図、（ｃ）は使用状態におけるバンド先端部と目印との位置関係を示す側面図である。
【図４】従来及び本発明にかかる空調室内機の設置及び天井工事方法を比較したフローチャートである。
【図５】従来の空調室内機のドレン配管設置方法の一例を説明するための概略図である。
【符号の説明】
【００３５】
１  空調室内機
１ａ  ドレン管
２  継手
３  取付部
３ａ  大径側の内面
３ｂ  突条
３ｃ  大径側の外面
３ｄ  溝部
３ｅ  小径側の外面
３ｆ  突条
４  ホース部
５  補強部
６  締付部
６ａ  ハウジング
６ｂ  バンド（フーブ）
６ｃ  ねじ部
６ｄ  目印
６ｅ  先端
３１  空調室内機
３１ａ  ドレン管
３２  立上り管
３３  横走り管
３４  接続部
３５  バンド
【図１】
2008121898.tif 000003
【図２】
2008121898.tif 000004
【図３】
2008121898.tif 000005
【図４】
2008121898.tif 000006
【図５】
2008121898.tif 000007